(57)【特許請求の範囲】
【請求項１】
一対の接眼光学系と対物光学系との間に設けられる調節レンズを光軸に沿って前後進可能に支持するとともに互いに平行に配置された一対の支持体と、
前記一対の支持体の各々の中心軸線に平行に、かつ前記一対の支持体の中間に位置する中心軸線を中心にして回転可能な中央転輪と、
外周面に雄ネジを備えてなると共に前記中央転輪に係合又は脱離することにより、前記中央転輪の回転に応じて回転し又は不動となる回転筒体と、
前記回転筒体の雄ネジに螺合する雌ネジを内周面に有すると共に外周面に雄ネジを備え、一方の支持体を結合する内側筒体と、
前記内側筒体の雄ネジに螺合する雌ネジを内周面に有すると共に他方の支持体を結合し、かつ外周面に係合片を備えた外側筒体と、
前記係合片に係合する規制部材を備え、前記中央転輪と係合脱離可能であり、前記中央転輪に係合しかつ前記中央転輪が前記回転筒体から脱離するときには、前記中央転輪の回転の中心となる前記中心軸線を中心にして回動可能でありかつ前記規制部材及び前記係合片を回動可能にし、前記中央転輪から脱離しかつ前記中央転輪が前記回転筒体に係合するときには、前記規制部材及び前記係合片を回動不能にしつつ前記係合片を前記外側筒体の軸方向に移動可能にする視度調節環と、
前記中央転輪を回転可能又は回転不能のいずれかに規制する中央転輪回転規制部と、
を有することを特徴とする双眼鏡。
【請求項２】
前記中央転輪は、前記中心軸線を中心にして回転可能にかつ有底円筒体状に形成された操作円筒体と、前記操作円筒体における底面の中心部に立設形成されて成る中心軸体とを備えて成り、
前記視度調節環は、前記中心軸体を挿入配置する挿入孔を中心部に備える筒状基体に回動可能に装着された円筒体を備えて成り、
前記中央転輪回転規制部は、前記筒状基体の外周端部に形成された中央転輪用係合部と前記中央転輪に設けられた中央転輪被係合部とを備えて成る前記請求項１に記載の双眼鏡。
【発明の詳細な説明】
【技術分野】
【０００１】
この発明は、双眼鏡に関し、更に詳しくは、双眼鏡を持つ手の位置をわざわざ変更することなく焦点調節及び視度調節を行うことができ、しかも調節後にその調節状態を固定することのできる双眼鏡に関する。
【背景技術】
【０００２】
図４に示されるように、従来の双眼鏡１００においては、左右の光学系の視度を同時に調節する中央転輪１０１と、左右の視度差を調整する視度調節環１０２とを備えた、中央繰り出し式の視度調整機構が多く採用されている。この場合、左右どちらかの接眼レンズの光軸と同軸になるように視度調節環１０２が設けられている。そうすると、中央転輪１０１と視度調節環１０２とが離れているので、双眼鏡を持ち続けている両手のそれぞれの指で、例えば右手の指で中央転輪１０１を操作し、左手の指で視度調節環を操作することを余儀なくされ、又は、右手の指で中央転輪１０１を操作してからその指の位置を変えて視度調節環を操作することを余儀なくされる。
【０００３】
１９７０年以降の特許出願につき、特許庁ホームページにアップされている電子図書館にて、視度調節をキーワードにして公開公報を検索すると、以下の２件が見出された。
【０００４】
特許文献１に記載の発明は視度補正機構に関し、その請求項１には、「接眼レンズを保持する接眼レンズ鏡筒と、該接眼レンズ鏡筒の端面を含む一端部が突出するように前記接眼レンズ鏡筒を保持する双眼鏡本体と、前記端面より光軸方向に摺動させながら前記接眼レンズ鏡筒の外側に装着され前記一端部の外周面を被覆する視度調節環と、前記視度調節環を前記接眼レンズ鏡筒に固定する固定手段と、前記視度調節環の光軸周りの回転操作による前記接眼レンズ鏡筒の回転により該接眼レンズ鏡筒を光軸方向に移動させ視度補正を可能にする機構とを有する双眼鏡の視度補正機構において、前記固定手段は、前記接眼レンズ鏡筒の一端部の側面に前記端面との間に顎部を形成するように穿設された切欠き溝と、弾性部材によって前記視度調節環の内周面に一体に形成され、前記摺動時に前記顎部によって弾性変形させられ、前記被覆完了時に弾性復帰して前記切欠き溝内まで侵入する弾性突起とを有し、前記切欠き溝と前記弾性突起との係合により前記視度調節環を前記接眼レンズに光軸方向に固定したことを特徴とする双眼鏡の視度補正機構。」が提案されている。
【０００５】
この特許文献１に記載された双眼鏡においては、前記したように、視度調節環と中央転輪とが相互に離れた位置に設けられているので、前記した問題点を有する。
【０００６】
特許文献２に記載された双眼鏡は、その請求項１に記載されているように、「一対の接眼光学系と対物光学系との間に設けられる調節レンズを光軸に沿って前後進可能に支持する一対の支持体と、
前記一対の支持体を光軸方向に同時に前後進させて焦点調節を行う焦点調節手段と、
一方の支持体を、他方の支持体を不動状態にしたまま、光軸方向に前後進させて視度調節を行う視度調節手段と、
前記焦点調節手段と視度調節手段とを切り替える切替手段とを有する焦点視度調節ユニットを備えてなることを特徴とする双眼鏡。」である。
【０００７】
しかしながら、特許文献２に開示された双眼鏡は、請求項２に記載されたように、「前記焦点調節手段が、固定中心軸体に回転可能に装着され、外周に雄ネジを有する太径部と外周に雄ネジを有する細径部とを有し、調節レンズを支持する一方の支持体を回動不能に前記太径部で支持するリード環と、
前記リード環と螺合により結合され、回転により前記リード環を前後進させる第１回転体とを備え、
前記視度調節手段が、前記リード環に回転可能に支持され、他方の調節レンズを支持する他方の支持体を支持する小リード環を備え、
前記切替手段が、固定中心軸体の軸線に沿って一方向に移動すると、前記小リード環に回転運動伝達不能状態下に前記第１回転体に回転運動を伝達可能にし、前記軸線方向に沿って逆方向に移動すると前記第１回転体の回転運動伝達不能状態下に前記小リード環に回転運動を伝達可能とする第２回転体を備えて成る
前記請求項１に記載の双眼鏡。」といった態様しか示されていない。
【０００８】
【特許文献１】特開平７−２８１１０３号公報
【特許文献２】特開２００６−５３３８１号公報
【発明の開示】
【発明が解決しようとする課題】
【０００９】
この発明が解決しようとする課題は、中央転輪と視度調節環との操作を、操作する指を変更することなく１本又は２本の指で簡単に行うことができ、中央転輪操作で焦点位置を決定し、視度調節環操作で視度位置を決定した後に、簡単に中央転輪と視度調節環とを固定することのできる双眼鏡を提供することである。
【課題を解決するための手段】
【００１０】
課題を解決するための手段として、
請求項１は、
「一対の接眼光学系と対物光学系との間に設けられる調節レンズを光軸に沿って前後進可能に支持するとともに互いに平行に配置された一対の支持体と、
前記一対の支持体の各々の中心軸線に平行に、かつ前記一対の支持体の中間に位置する中心軸線を中心にして回転可能な中央転輪と、
外周面に雄ネジを備えてなると共に前記中央転輪に係合又は脱離することにより、前記中央転輪の回転に応じて回転し又は不動となる回転筒体と、
前記回転筒体の雄ネジに螺合する雌ネジを内周面に有すると共に外周面に雄ネジを備え、一方の支持体を結合する内側筒体と、
前記内側筒体の雄ネジに螺合する雌ネジを内周面に有すると共に他方の支持体を結合し、かつ外周面に係合片を備えた外側筒体と、
前記係合片に係合する規制部材を備え、前記中央転輪と係合脱離可能であり、前記中央転輪に係合しかつ前記中央転輪が前記回転筒体から脱離するときには、前記中央転輪の回転の中心となる前記中心軸線を中心にして回動可能でありかつ前記規制部材及び前記係合片を回動可能にし、前記中央転輪から脱離しかつ前記中央転輪が前記回転筒体に係合するときには、前記規制部材及び前記係合片を回動不能にしつつ前記係合片を前記外側筒体の軸方向に移動可能にする視度調節環と、
前記中央転輪を回転可能又は回転不能のいずれかに規制する中央転輪回転規制部と、
を有することを特徴とする双眼鏡」であり、
請求項２は、
「前記中央転輪は、前記中心軸線を中心にして回転可能にかつ有底円筒体状に形成された操作円筒体と、前記操作円筒体における底面の中心部に立設形成されて成る中心軸体とを備えて成り、
前記視度調節環は、前記中心軸体を挿入配置する挿入孔を中心部に備える筒状基体に回動可能に装着された円筒体を備えて成り、
前記中央転輪回転規制部は、前記筒状基体の外周端部に形成された中央転輪用係合部と前記中央転輪に設けられた中央転輪被係合部とを備えて成る前記請求項１に記載の双眼鏡」である。
【発明の効果】
【００１１】
この発明に係る双眼鏡においては、先ず、中央転輪回転規制部により中央転輪を回転可能にし、かつ回転筒体を中央転輪に係合させ、かつ視度調節環を中央転輪から脱離させておく。双眼鏡を両手で持って構えた状態で、例えば指で中央転輪を回転させる。
【００１２】
中央転輪が回転すると、中央転輪に回転筒体が係合しているので、回転筒体に中央転輪の回転が伝達される。
【００１３】
回転筒体が回転すると、内側筒体の内周面に設けられた雌ネジが回転筒体の外周面に設けられた雄ネジに螺合しているので、内側筒体に回転力が伝達される。なお、外側筒体の外周面に備わる係合片が規制部材により回動不能に規制されているので、内側筒体の回転力が外側筒体の回転力となって伝達されることは無い。そうすると、内側筒体に伝えられた中央転輪の回転力は、中央転輪の回転方向に応じて、内側筒体がその軸線方向に前後進する並進移動力に、変換される。つまり、中央転輪の回転により、内側筒体がその軸線方向に沿って前後進する。
【００１４】
上述したように、外側筒体は回動不能になっているので、中央転輪の回転力が変換された内側筒体の並進移動力が、外側筒体にも伝達することにより、外側筒体も並進移動せしめることとなる。内側筒体には一方の支持体を結合し、かつ外側筒体には他方の支持体を結合しているので、内側筒体と外側筒体との同時並進移動により、一対の支持体が同時に並進移動する。
【００１５】
一対の支持体の同時並進移動により、一対の支持体それぞれに結合された一対の調節レンズが同時に並進移動して焦点調節が行われる。
【００１６】
焦点調節が完了すると、回転筒体を中央転輪から脱離させ、かつ視度調節環に中央転輪を係合させる。回転筒体を中央転輪から脱離させることにより、一旦調整した焦点の狂いを生じることがなくなる。
【００１７】
焦点調節の後に視度調節をするには、中央転輪を例えば指操作により回動させる。中央転輪が回動すると、中央転輪に係合している視度調節環が回動することになる。視度調節環が回動すると、規制部材に係合している係合片により外側筒体も回動する。なお、回転筒体は中央転輪から脱離しているので回転することは無く、かつ内側筒体は回転筒体が回転することが無いので同様に回転することが無い。よって、回転筒体及び内側筒体に外側筒体の回動力が伝達することは無い。外側筒体が回動すると、固定されている内側筒体に螺合している外側筒体は、外側筒体の回動量に応じて中心軸線に沿って並進移動をする。外側筒体の並進移動により、外側筒体に結合する他方の支持体が並進移動する。外側筒体の並進移動による調節レンズが並進移動して視度調節が行われる。
【００１８】
視度調節が完了すると、例えば指操作により、中央転輪回転規制部が中央転輪を回転不能にする。中央転輪が回転不能となることにより、双眼鏡の操作中に不用意に視度調節環に手が触れるなどして視度の狂いを生じることがなくなる。
【００１９】
かくして、この発明によると、中央転輪と視度調節環とが、双眼鏡の一対の光軸の中央であって前記光軸と平行な軸線を有するように同軸かつ近接して配置されているので、この双眼鏡を持っている手の指を変えることなく、指１本又は２本で焦点調節と視度調節とを簡単に操作することができる双眼鏡を提供することができる。
【発明を実施するための最良の形態】
【００２０】
この発明の一例である双眼鏡を図１及び図２に示す。図１に示されるように、この発明の一例である双眼鏡１は、接眼光学系と対物光学系とを内蔵する一方の鏡筒２aと、同様に接眼光学系と対物光学系とを内蔵する他方の鏡筒２ｂと、前記一方の鏡筒２ａと前記他方の鏡筒２ｂとを回動可能に結合して接眼光学系の一方の光軸と接眼光学系の他方の光軸とを観察者の両眼間隔に一致させることができるようにする回動結合部３とを備える。
【００２１】
双眼鏡１は、一方の鏡筒２ａの軸線と他方の鏡筒２ｂの軸線との中間であって夫々の軸線に平行な仮想的中間軸線上に配置された視度調節環４と中央転輪５とを備える。視度調節環４と中央転輪５とは仮想的中間軸線を共有する。
【００２２】
図１に示されるように、前記回動結合部３は、一方の鏡筒２ａの略中央部から張り出した装着部と他方の鏡筒２ｂの略中央部から張り出した装着部とを回動可能に装着する基体（図示せず。）を有する。
【００２３】
図２に示されるように、前記基体の接眼部側端部に、仮想的中間軸線Ｘを共有し、かつ略有底円筒体状を成す筒状基体６が取り付けられる。筒状基体６は、前記回動結合部３側の端部を閉鎖する有底円筒体である。筒状基体６の外周部である円筒状外周部６ａには、視度調節環４が装着され、かつ筒状基体６の開口部を閉鎖するように中央転輪５が装着される。なお、筒状基体６は、固定された部材であり、回転又は回動することはない。
【００２４】
前記筒状基体６の外周面における回動結合部３側の端部には、半径方向側に張り出した環状のフランジ６ｂが、形成される。
【００２５】
視度調節環４は、筒状基体６の円筒状外周部６ａに装着された円筒体であるところの装着円筒部４ａを有する。視度調節環４は、円筒状外周部６ａに摺接し、かつ仮想的中間軸線Ｘを中心にして一定の範囲内で回動可能である。
【００２６】
前記筒状基体６の円筒状外周部６ａには、円筒状外周部６ａの外周面及び内周面を貫通するボール配設孔６ｃが開設されている。ボール配設孔６ｃの中には、付勢部材６ｄ例えば板バネにより、筒状基体６の内側から外側へと付勢されたボール６ｅが、嵌められている。
【００２７】
前記視度調節環４における装着円筒部４ａの内周面には、前記ボール６ｅの一部が没入可能な溝４ｂが、少なくとも視度調節環４の回動可能範囲よりも大きい範囲で形成されている。視度調節環４の溝４ｂに前記ボール６ｅが没入していると、視度調節環４が溝４ｂに沿って滑らかに回動可能であり、かつ視度調節環４の回動が螺旋軌道に乗らないように案内をすることができる。なお、前記溝４ｂ及びボール配設孔６ｃの形成位置は、特に制限は無い。
【００２８】
前記筒状基体６には、前記仮想的中間軸線Ｘを中心軸線とする挿入孔６ｆが開設される。挿入孔６ｆは、筒状基体６の仮想的中間軸線Ｘを軸線とする細径部６ｇと太径部６ｈとが直列に形成されることにより、その内部空間として形成される。太径部６ｈの内径は、細径部６ｇの内径よりも大きく設計される。
【００２９】
前記細径部６ｇは、一方の鏡筒２ａの略中央部から張り出した装着部と他方の鏡筒２ｂの略中央部から張り出した装着部とを回動可能に装着する基体（図示せず。）の反対側に設けられる。
【００３０】
太径部６ｈの周側面には、外周面及び内周面を貫通する第２ボール配設孔６ｉが開設される。ボール配設孔６ｉには、ボール６ｊが装着される。ボール６ｊは、第２付勢部材６ｋ例えば板バネにより、太径部６ｈの内部に向かって付勢される。
【００３１】
前記細径部６ｇの外周面には、回転筒体７が、仮想的中間軸線Ｘを中心にして回転可能に、嵌装される。この回転筒体７は、外周面に雄ネジ７ａを有すると共に、内周面の少なくとも一部に係合部材７ｂ例えばキーを備える。
【００３２】
前記回転筒体７の外側には、内側筒体８が装着されている。内側筒体８の内周面には雌ネジ８ａが設けられ、雌ネジ８ａは回転筒体７の雄ネジ７ａに螺合している。前記内側筒体８の外周面には雄ネジ８ｂが設けられている。この内側筒体８の前記基体（図示せず。）側の端部に、円環状フランジ８ｃが内側筒体８の半径方向に突出して形成される。この円環状フランジ８ｃには、第１支持体９ａの一端部が結合される。
【００３３】
この第１支持体９ａは、筒状基体６に設けられた装着貫通孔６ｍに挿通され、その第１支持体９ａの他端部は、適宜の部材１０を介して、図１に示す一方の鏡筒２ａ内に設けられている調節レンズ（図示せず。）に結合されている。したがって、この第１支持体９ａが仮想的中間軸線Ｘと同じ軸線方向に沿って、前後進可能になっている。もっとも、第１支持体９ａの他端部は、適宜の部材１０を介することなく、調節レンズに結合されても良い。
【００３４】
図２に示されるように、前記内側筒体８の外側には、外側筒体１１が装着されている。内側筒体８の外周面に設けられた雄ネジ８ｂと、前記外側筒体１１の内周面に設けられた雌ネジ１１ａとが螺合している。
【００３５】
外側筒体１１の外周面には、係合片１１ｂが立設形成される。係合片１１ｂは、図２に示されるように、仮想的中間軸線Ｘと平行に形成された長辺部と、前記仮想的中間軸線Ｘを中心とする半径方向に沿って形成された短辺部とを有する矩形板状を呈する。この矩形板状を成す係合片１１ｂは、装着円筒部４ａの内周面に立設形成された規制部材４ｃに係合する。規制部材４ｃは、仮想的中間軸線Ｘの半径方向でかつ係合片１１ｂに向かって開口する係合溝（図示せず。）を有している。係合片１１ｂと係合溝とは、前記係合片１１ｂの長辺部が係合溝内に装着されることにより、係合している。したがって、装着円筒部４ａを有する視度調節環４が回動すると、前記係合溝を有する規制部材４ｃが回動するので、規制部材４ｃの回動によって前記係合溝に係合する係合片１１ｂも回動することとなる。回転筒体７は仮想的中間軸線Ｘに沿って移動することはないので、係合片１１ｂの回動により、外側筒体１１及び回転筒体７に螺合している内側筒体８が仮想的中間軸線Ｘに沿って前進又は後進することができる。
【００３６】
一方、この外側筒体１１の下端には、仮想的中間軸線Ｘの半径方向に張り出した環状の第２フランジ１１ｃが形成される。この第２フランジ１１ｃには、第２支持体９ｂの一端部が結合される。
【００３７】
この第２支持体９ｂは、筒状基体６に設けられた第２装着貫通孔６ｎに挿通され、その第２支持体９ｂの他端部は、適宜の部材１０を介して、他方の鏡筒２ｂ内に設けられている調節レンズ（図示せず。）に結合されている。もっとも、第１支持体９ａの他端部は、適宜の部材１０を介することなく、調節レンズに結合されても良い。
【００３８】
上述したように、視度調節環４を回動することにより、内側筒体８が仮想的中間軸線Ｘに沿って前進又は後進するので、第１支持体９ａが仮想的中間軸線Ｘに沿って前進又は後進することになる。
【００３９】
前記中央転輪５は、図２に示されるように、一端を開口する有底円筒体状であり、筒状基体６の開口部を覆蓋している。中央転輪は、仮想的中間軸線Ｘを中心にして回転可能である有底円筒体状の操作円筒体と、操作円筒体における底面の中心部に立設形成されて成る中心軸体とを備えていることが好ましい。図２においては、操作円筒体の一例として、底面５ａ及び円筒状周側部５ｂを示した。また、中心軸体の一例として、円柱状突出基部５ｃ、装着ピン５ｅ及び太径ヘッド５ｆを示した。図２に示されるように、底面５ａは上側に位置し、かつ開口部が下側に位置し、かつ円筒状周側部５ｂが前記底面５ａの両端部から下方に延在している。この底面５ａにおいて、前記円筒状周側部５ｂに囲まれた空間に向かう面の中央部には、円柱状突出基部５ｃが突設され、その円柱状突出基部５ｃの外周には、被係合部材５ｄが設けられている。被係合部材５ｄは、双眼鏡１が図２に示すような初期状態にあるときに、係合部材７ｂ例えばキーに係合する部材であり、例えばキー溝として形成される。図２に示す状態では、係合部材７ｂ及び被係合部材５ｄが係合しているので、回転筒体７及び中央転輪５が係合していることになる。つまり、中央転輪５を回転させると、この被係合部材５ｄ及び係合部材７ｂが係合している場合には、回転筒体７も回転するように、なっている。
【００４０】
前記円柱状突出基部５ｃの先端部から更に細径の装着ピン５ｅが延在し、この装着ピン５ｅが、筒状基体６における挿入孔６ｆに、回転可能に挿入されている。装着ピン５ｅの先端部には円柱状の太径ヘッド５ｆが形成される。太径ヘッド５ｆの外径は、前記細径部６ｇの内径よりも大きく設計されているので、中央転輪５が筒状基体６から脱落することは無い。太径ヘッド５ｆの外周側面には断面劣弧形状を成し、かつ前記太径ヘッド５ｆの外周面を一巡するように形成された環状溝が３個形成されている。３個の環状溝それぞれを、太径ヘッド５ｆの下端面側から、第１環状溝５ｇ、第２環状溝５ｈ及び第３環状溝５ｉと称する。
【００４１】
第１環状溝５ｇ、第２環状溝５ｈ及び第３環状溝５ｉには、ボール配設孔６ｉに配設されたボール６ｊの一部が、没入可能である。
【００４２】
図２に示すように、中央転輪回転規制部１２は、中央転輪５の歯５ｊ及び筒状基体６の歯６ｐを有している。前記中央転輪５における底面５ａの内壁面周縁部には、中央転輪被係合部の一例として環状でかつ放射状に列設された歯５ｊが設けられている。また、筒状基体６の円筒状外周部６ａにおける環状端面には、中央転輪用係合部の一例として歯６ｐが設けられる。この歯５ｊと歯６ｐとは、中央転輪５を仮想的中間軸線Ｘに沿って移動させると、互いに噛み合うことができるように、形成される。上述したように、筒状基体６は固定される部材であるので、中央転輪回転規制部１２における歯５ｊと歯６ｐとが噛み合うと中央転輪５が回転不能となる。
【００４３】
視度調節環４の外周面でかつ下端部近傍には、視度調節用係合部材４ｄ例えばキーが設けられ、中央転輪５の円筒状周側部５ｂにおける内周面でかつ開口部近傍には、視度調節用被係合部材５ｋ例えばキー溝が設けられている。双眼鏡１が図２に示される状態にあるときは、視度調節用係合部材４ｄ及び視度調節用被係合部材５ｋが係合していないので、中央転輪５が回転しても視度調節環４は回転しない。歯６ｐと歯５ｊとが噛み合わないようにしつつ、中央転輪５を図２における下方に押圧すると、視度調節用係合部材４ｄと視度調節用被係合部材５ｋとが係合して、中央転輪５の回転力が視度調節環４に直接伝達されることとなる。
【００４４】
図２に示す双眼鏡１は、歯６ｐと歯５ｊとが噛み合っておらず、前記第１環状溝５ｇにボール６ｊが没入しているので、ボール６ｊの没入位置を第２環状溝５ｈ又は第３環状溝５ｉに移動させる外力を中央転輪５に加えない限り、中央転輪５がその位置を安定的に保持することができる。また、ボール６ｊが第１環状溝５ｇに没入している状態の中央転輪５を仮想的中間軸線Ｘに沿って移動させることにより、視度調節用係合部材４ｄと視度調節用被係合部材５ｋとが噛み合う状態になったときには、前記第２環状溝５ｈにボール６ｊが没入しているので、ボール６ｊの没入位置を第１環状溝５ｇ又は第３環状溝５ｉに移動させる外力を中央転輪５に加えない限り、中央転輪５がその位置を安定的に保持することができる。更に、ボール６ｊが第２環状溝５ｈに没入している状態の中央転輪５を仮想的中間軸線Ｘに沿って移動させることにより、歯６ｐと歯５ｊとが噛み合う状態になったときには、前記第３環状溝５ｉにボール６ｊが没入しているので、ボール６ｊの没入位置を第１環状溝５ｇ又は第２環状溝５ｈに移動させる外力を中央転輪５に加えない限り、中央転リン５がその位置を安定的に保持することとなる。なお、前記第１環状溝５ｇ、第２環状溝５ｈ及び第３環状溝５ｉの形成位置並びに第２ボール配設孔６ｉの開設位置は、特に制限はなく、被係合部材５ｄ及び係合部材７ｂ並びに歯５ｊ及び歯６ｐの位置及び大きさを考慮し、かつボール６ｊが安定的に保持可能であるように決定される。
【００４５】
次に、以上構成の双眼鏡の作用について、以下に説明する。
【００４６】
操作者が双眼鏡を両手で持って構え、両眼に接眼部を当てる。双眼鏡１が初期状態つまり焦点調節をする前の状態では、図２に示されるように、視度調節用係合部材４ｄ及び視度調節用被係合部材５ｋが噛み合わず、また歯６ｐ及び歯５ｊが噛み合っていない。すなわち、視度調節環４が中央転輪５から脱離しており、かつ回転筒体７が中央転輪５に係合している。図２に示される状態の回転結合部３、視度調節環４及び中央転輪５の外観を図３（Ａ）に示した。図３（Ａ）では、回転結合部３と中央転輪５との間に視度調節環４を視認可能な状態になっている。視度調節環４を外部から視認可能な状態のとき、図２に示すように、ボール６ｊは第１環状溝５ｇに没入しているので、中央転輪５に仮想的中間軸線Ｘに沿う方向に外力を加えない限り、中央転輪５が仮想的中間軸線Ｘに沿って移動することはない。また、図３（Ａ）に示される状態では、視度調節環４は回動不能である。
【００４７】
双眼鏡１の操作としては、先ず焦点調節を行うこととし、操作者が、例えば指で中央転輪５を回転させる。中央転輪５が回転すると、図２に示されるように、被係合部材５ｄ例えばキー溝に係合部材７ｂ例えばキーが係合しているので、回転筒体７が回転する。しかしながら、外側筒体１１に結合している係合片１１ｂが、規制部材４ｃにより回動不能に規制されている。よって、回転筒体７の回転により、回転筒体７に螺合する内側筒体８及び内側筒体８に螺合する外側筒体１１が一体になって、仮想的中間軸線Ｘに沿って、図２における下方又は上方に移動する。したがって、内側筒体８に結合された第１支持体９ａと外側筒体１１に結合された第２支持体９ｂとが、仮想的中間軸線Ｘに沿って同時に移動することになる。第１支持体９ａ及び第２支持体９ｂが仮想的中間軸線Ｘに沿って移動することで、焦点調節が行われる。
【００４８】
焦点調節が完了すると、視度調節環４における視度調節用係合部材４ｄと中央転輪５における視度調節用被係合部材５ｋとを係合させ、かつ回転筒体７における係合部材７ｂを中央転輪５における被係合部材５ｄから脱離させると共に、ボール配設孔６ｉ内に配設されているボール６ｊが第１環状溝５ｇから第２環状溝５ｈへとその没入位置を変えるように、中央転輪５を仮想的中間軸線Ｘに沿って移動させる。
【００４９】
視度調節用係合部材４ｄと視度調節用被係合部材５ｋとが係合することにより、中央転輪５の回転力が視度調節環４に直接伝達されるようになる。また、係合部材７ｂを被係合部材５ｄから脱離させることにより、中央転輪５の回転力が回転筒体７に伝達されなくなり、回転筒体７が回転することは無い。したがって、中央転輪５が回転しても、回転筒体７は回転せず、内側筒体８及び外側筒体１１が同時に仮想的中間軸線Ｘに沿って移動することが無いので、調節された焦点が固定される。すなわち、焦点を固定した状態が、視度調節環４が中央転輪５に係合し、かつ回転筒体７が中央転輪５から脱離した状態である。
【００５０】
次いで、中央転輪５を例えば指で回動させる。中央転輪５が回動することにより、視度調節用被係合部材５ｋと視度調節用係合部材４ｄとが係合しているので、視度調節環４を回動させる。視度調節環４が回動すると、規制部材４ｃの係合溝に係合している係合片１１ｂも回動し、外側筒体１１が回動することとなる。特に限定されることではないが、通常の場合、外側筒体１１の回動範囲は仮想的中間軸線Ｘを中心とする中心角で１２０度以内に設計されることが好ましい。
【００５１】
外側筒体１１が回動すると、この外側筒体１１の内周面に形成されている雌ネジ１１ａに螺合する雄ネジ８ｂを外周面に有する内側筒体８が、回動する。内側筒体８の内周面に形成されている雌ネジ８ａに螺合する雄ネジ７ａを有する回転筒体７は、上述したように回転不能になっているので、外側筒体８の回動により内側筒体７が回動しつつ仮想的中間軸線Ｘに沿って移動する。内側筒体７の移動により、第１支持体９ａだけが仮想的中間軸線Ｘに沿って移動し、第２支持体９ｂは移動しない。第１支持体９ａのみが移動することにより、第１支持体９ａに連携する調節レンズによる視度調節を行うことができる。
【００５２】
視度調節が完了すると、中央転輪５を、仮想的中間軸線Ｘに沿って更に移動させる。中央転輪５を仮想的中間軸線Ｘに沿って図２における下方に移動させることにより、歯５ｉと歯６ｐとが噛み合うので、中央転輪５が回動不能になる。また、ボール６ｊが第２環状溝５ｇから第３環状溝５ｉへとその没入位置を変えるので、視度調節環４は大きな外力が作用しない限り仮想的中間軸線Ｘに沿って移動せず、調節した視度が固定される。
【００５３】
以上、この発明の一例について説明したが、この発明は前記実施の態様に限定されることはなく、様々の設計変更を行うことができる。
【００５４】
この発明における支持体は、双眼鏡における一対の鏡筒内それぞれに存在する接眼光学系と対物光学系との間に設けられる調節レンズを、光軸に沿って前後進可能に支持することができる限り、様々の機械的構造を取り得る。支持体は、一つの部材で形成されていても複数の部材の組合せにより形成されていても良い。この支持体の材質及び寸法は、双眼鏡を用いるフィールド及び状況等に応じて適宜に決定することのできる設計事項である。
【００５５】
この発明における中央転輪は、接眼光学系と対物光学系との間に配設される調節レンズを光軸に沿って前後進可能に支持すると共に互いに平行に配置された一対の支持体の軸線に平行であり、かつ前記一対の支持体の中間に位置する仮想的中間軸線を中心にして回転することができ、この回転によって、一方の支持体に結合される内側筒体を回転させることができる限り、様々の構造を有することができる。この中央転輪は、一つの部材で形成されていても複数の部材の組合せにより形成されていても良い。この中央転輪の材質及び寸法は、双眼鏡を用いるフィールド及び状況等に応じて適宜に決定することのできる設計事項である。
【００５６】
この発明における内側筒体は、中央転輪の回転により回転することができること、及び外周面に雄ネジを有すること、及び視度調節のための調節レンズに結合される支持体を結合することという条件を満たす限り、様々な構造を採用することができる。この内側筒体は、通常、中央転輪が有する仮想的中間軸線を共有する軸線を有する筒状体を呈する。この内側筒体の材質及び寸法は、双眼鏡を用いるフィールド及び状況等に応じて適宜に決定することのできる設計事項である。
【００５７】
この発明における外側筒体は、前記内側筒体の外周面に形成された雄ネジと噛み合う雌ネジを内周面に備えること、視度調節環を回転させると回動可能である一方、前記中央転輪の回転により回転不能であること、及び焦点調節のための調節レンズに結合される他の支持体を結合することという条件を満たす限り、様々な構造を採用することができる。この外側筒体は、通常、中央転輪が有する仮想的中間軸線を共有する軸線を有する筒状体を呈する。この外側筒体の材質及び寸法は、双眼鏡を用いるフィールド及び状況等に応じて適宜に決定することのできる設計事項である。
【００５８】
視度調節環は、内側筒体に結合する支持体に取り付けられた調節レンズを仮想的中間軸線に沿って前後進させることが機能を発揮するために、前記外側筒体を回動させることができる一方、中央転輪が回転しているときには外側筒体を回動ないし回転させないように形成される。この視度調節環の材質及び寸法は、双眼鏡を用いるフィールド及び状況等に応じて適宜に決定することのできる設計事項である。
【００５９】
中央転輪回転規制部は、中央転輪を回転可能状態及び回転不能状態に規制可能である限り、図２の実施態様に制限されることはなく、適宜の部材を採用することができる。
【図面の簡単な説明】
【００６０】
【図１】図１はこの発明の双眼鏡の一例を示す説明図である。
【図２】図２はこの発明の双眼鏡の一例における構造を示す一部断面説明図である。
【図３】図３はこの発明の双眼鏡の一例における中央転輪及び視度調節環を示す説明図であり、図３（Ａ）は中央転輪が回転可能でかつ視度調節環が回動不能な状態にある中央転輪及び視度調節環を示す説明図であり、図３（Ｂ）は中央転輪及び視度調節環が回動可能な状態にある中央転輪及び視度調節環を示す説明図であり、図３（Ｃ）は中央転輪及び視度調節環が回動不能な状態にある中央転輪及び視度調節環を示す説明図である。
【図４】図４は従来の双眼鏡の一例を示す説明図である。
【符号の説明】
【００６１】
１            双眼鏡
２ａ          一方の鏡筒
２ｂ          他方の鏡筒
３            回動結合部
４            視度調節環
４ａ          装着円筒部
４ｂ          溝
４ｃ          規制部材
４ｄ          視度調節用係合部材
５            中央転輪
５ａ          底面
５ｂ          円筒状周側部
５ｃ          円柱状突出基部
５ｄ          被係合部材
５ｅ          装着ピン
５ｆ          太径ヘッド
５ｇ          第１環状溝
５ｈ          第２環状溝
５ｉ          第３環状溝
５ｊ          歯
５ｋ          視度調節用被係合部材
６            筒状基体
６ａ          円筒状外周部
６ｂ          フランジ
６ｃ          ボール配設孔
６ｄ          付勢部材
６ｅ          ボール
６ｆ          挿入孔
６ｇ          細径部
６ｈ          太径部
６ｉ          第２ボール配設孔
６ｊ          ボール
６ｋ          第２付勢部材
６ｍ          装着貫通孔
６ｎ          第２装着貫通孔
６ｐ          歯
７            回転筒体
７ａ          雄ネジ
７ｂ          係合部材
８            内側筒体
８ａ          雌ネジ
８ｂ          雄ネジ
８ｃ          円環状フランジ
９ａ          第１支持体
９ｂ          第２支持体
１０          適宜の部材
１１          外側筒体
１１ａ        雌ネジ
１１ｂ        係合片
１１ｃ        第２フランジ
１２          中央転輪回転規制部
Ｘ            仮想的中間軸線
１００        双眼鏡
１０１        中央転輪
１０２        視度調節環
【図１】
0004931834.tif 000002
【図２】
0004931834.tif 000003
【図３】
0004931834.tif 000004
【図４】
0004931834.tif 000005